(57)【要約】【課題】  立てた状態で使用した場合であっても、吸湿剤が積層体に接触する虞が少ない有機ＥＬパネルを提供する。【解決手段】  有機ＥＬパネル１１は、少なくとも第一電極１７と有機層２０と第二電極２１とを有する積層体１３を基板１２に形成し、少なくとも有機層２０を覆う凹部１４ａを有し凹部１４ａ，２４ａに吸湿剤２５を設けた封止部材１４を前記基板１２に接合してなる。封止部材１４に、吸湿剤２５を塞き止める壁部２６を設ける。壁部２６は、凹部１４ａに塗布された吸湿剤２５を囲むように形成されている。【選択図】  図３
2006228532.tif 000002
【特許請求の範囲】
【請求項１】
少なくとも第一電極と有機層と第二電極とを有する積層体を基板に形成し、少なくとも前記有機層を覆う凹部を有し前記凹部に吸湿剤を設けた封止部材を前記基板に接合してなる有機ＥＬパネルであって、
前記封止部材に、前記吸湿剤を塞き止める壁部を設けたことを特徴とする有機ＥＬパネル。
【請求項２】
前記壁部は、前記凹部に塗布された前記吸湿剤を囲むように形成されていることを特徴とする請求項１に記載の有機ＥＬパネル。
【請求項３】
前記封止部材は、接着剤によって前記基板に接着されてなることを特徴とする請求項１に記載の有機ＥＬパネル。
【請求項４】
前記壁部は、前記接着剤と同一の材料からなることを特徴とする請求項３に記載の有機ＥＬパネル。
【発明の詳細な説明】
【技術分野】
【０００１】
本発明は、第一電極と第二電極の間に有機層を挟持した有機ＥＬ素子を含む積層体を基板上に形成した有機ＥＬパネルに関するものである。
【背景技術】
【０００２】
従来より、有機ＥＬパネルを種々提案されており、例えば特許文献１に開示されている。有機ＥＬパネル１は、ガラス基板２上に積層体３を形成したものであり、この積層体３は、第一電極４，絶縁層５，有機層６，アルミニウム（Al）からなる第二電極７を有する（図７参照）。第一電極４は、ＩＴＯ（Indium Tin Oxide）からなるものである。有機層６は、蒸着等の方法によって正孔注入層，正孔輸送層，発光層，電子輸送層及び電子注入層を順次形成したものである。
【特許文献１】特開２００３−２８８９８４号公報
【０００３】
有機層６は封止ガラス８に覆われており、この封止ガラス８はガラス基板２に紫外線硬化性の接着剤９で固着されている。封止ガラス８によって形成された気密空間内に湿気があると有機層６が劣化するため、酸化カルシウム，活性アルミナまたはシリカゲル等の物理的或いは化学的に吸湿する吸湿粉粒体をフッ素系オイルやシリコーン系オイル等の不活性液体中に混合してなるゲル状の吸湿剤１０を封止ガラス８に塗布して、気密空間内の湿気を吸収している。第一電極４は、陽極部４ａと、陰極端子部４ｂとを有している。有機層６は、陽極部４ａと第二電極７に挟持されており、第二電極７は、陰極端子部４ｂに電気的に接続されている。陽極部４ａ及び陰極端子部４ｂに電源を接続し、陽極部４ａと第二電極７の間に駆動電圧を印加することにより、有機層６が発光する。
【発明の開示】
【発明が解決しようとする課題】
【０００４】
しかしながら、有機ＥＬパネル１を立てた状態で長期間使用した場合、有機ＥＬパネル１の寿命が短くなる虞があった。つまり、有機ＥＬパネル１を立てた状態で使用すると、吸湿剤１０が下方に流動し、吸湿体１０が積層体３に接触して、有機層６が劣化するという問題を有していた（図８参照）。
本発明は、この問題に鑑みなされたものであり、立てた状態で使用した場合であっても、吸湿剤が積層体に接触する虞が少ない有機ＥＬパネルを提供するものである。
【課題を解決するための手段】
【０００５】
本発明は、前記課題を解決するため、請求項１に記載したように、少なくとも第一電極１７と有機層２０と第二電極２１とを有する積層体１３を基板１２に形成し、少なくとも前記有機層２０を覆う凹部１４ａ，２４ａを有し前記凹部１４ａ，２４ａに吸湿剤２５を設けた封止部材１４，２４を前記基板１２に接合してなる有機ＥＬパネル１１であって、前記封止部材１４，２４に、前記吸湿剤２５を塞き止める壁部２６，２４ｂを設けたものである。
【０００６】
また、本発明は、請求項２に記載したように、前記壁部２６，２４ｂは、前記凹部１４ａ，２４ａに塗布された前記吸湿剤２５を囲むように形成されているものである。
【０００７】
また、本発明は、請求項３に記載したように、前記封止部材１４，２４は、接着剤２２によって前記基板１２に接着されてなるものである。
【０００８】
また、本発明は、請求項４に記載したように、前記壁部２４ｂは、前記接着剤２２と同一の材料からなるものである。
【発明の効果】
【０００９】
有機ＥＬパネルを立てた状態で使用した場合であっても、吸湿剤を壁部で塞き止めることができ、吸湿剤が積層体に接触する虞が少ない。
【発明を実施するための最良の形態】
【００１０】
以下、本発明の一実施形態を添付の図面に基づいて説明する。有機ＥＬパネル１１は、ガラス基板１２上に積層体１３を形成すると共に、封止ガラス１４（封止部材）を設けたものである。積層体１３は、第一電極１７，絶縁層１８，リブ部１９，有機層２０，第二電極２１を有している。
【００１１】
第一電極１７は、酸化インジウム（In２O３）と酸化スズ（SnO２）の混合物であるＩＴＯ（Indium
Tin Oxide）からなるものであり、スパッタリング或いは蒸着等の手段によって、基板１２に形成されている。第一電極１７は、所定間隔をあけて配置された縦方向のストライプ状の陽極部１７ａと、第二電極２１の陰極部２１ａに導通される陰極端子部１７ｂとを有している。
【００１２】
絶縁層１８は、ポリイミド系の絶縁材料からなるものであり、フォトリソグラフィー法等の手段によって形成されている。絶縁層１８は、有機層２０よりも広い領域に形成されており、マトリクス状に配置された画素に対応する矩形の開口１８ａと、陰極端子部１７ｂと陰極部２１ａを電気的に接続させるコンタクトホール１８ｂとを有している。
【００１３】
リブ部１９は、フェノール系の絶縁材料からなるものであり、フォトリソグラフィー法等の手段によって形成されている。リブ部１９は、絶縁層１８上に形成されており、逆テーパ形状になっている。リブ部１９は、陽極部１７ａと直交する方向に平行線状に設けられており、有機層２０及び第二電極２１をストライプ状に分断する。
【００１４】
有機層２０は、正孔注入層２０ａ，正孔輸送層２０ｂ，発光層２０ｃ及び電子輸送層２０ｄからなるものであり、白色発光するものである（図４参照）。なお、有機層２０は、少なくとも発光層２０ｃがあれば良いが、本実施形態のように正孔注入層２０ａ，正孔輸送層２０ｂ及び電子輸送層２０ｄを設けることにより、発光輝度を向上させることができる。第二電極２１は、アルミニウム（Al）からなるものであり、リブ部１９によって、第一電極１７の陽極部１７ａに直交する方向のストライプ状に分断され、陰極部２１ａが形成されている。
【００１５】
封止ガラス１４は、エッチング等の方法によって形成された凹部１４ａを有しており、紫外線硬化性の接着剤２２によって、ガラス基板１２に接合されている。封止ガラス１４の凹部１４ａには、ゲル状の吸湿剤２５が塗布されており、この吸湿剤２５を取り囲むように、所定高さを有する壁部２６が形成されている（図４参照）。凹部１４ａに形成されて壁部２６は、接着剤２２と同一の材料からなるものである。
【００１６】
本実施形態によれば、有機ＥＬパネル１１を立てた状態で使用した場合であっても、吸湿剤２５を壁部２６で塞き止めることができ、吸湿剤２５が積層体１３に接触することがなく、有機層２０が劣化する虞が少ない。
【００１７】
なお、本発明は、本実施形態に限定されるものではなく、例えば、図６に示す他の実施形態のように、エッチング等の方法によって壁部２５ｂを封止ガラス２４と一体に形成しても良い。また、壁部２６，２５ｂは吸湿剤２５を取り囲むように形成されたものであるが、少なくとも、有機ＥＬパネル１１を使用する状態における吸湿剤２５の下側に設けてあれば良い。また、本実施形態は、ドットマトリクス型の有機ＥＬパネル１１であったが、セグメント型の有機ＥＬパネルであっても良い。
【図面の簡単な説明】
【００１８】
【図１】本発明の実施形態を示す正面図。
【図２】同上実施形態を示す断面図。
【図３】同上実施形態を示す断面図。
【図４】同上実施形態を示す封止ガラスの正面図。
【図５】同上実施形態を示す有機層の拡大正面図。
【図６】本発明の他の実施形態を示す断面図。
【図７】従来例を示す断面図。
【図８】同上従来例を示す断面図。
【符号の説明】
【００１９】
１１    有機ＥＬパネル
１２    ガラス基板（基板）
１３    積層体
１４    封止ガラス（封止部材）
１７    第一電極
１７ａ  陽極部
１７ｂ  陰極端子部
２０    有機層
２１    第二電極
２１ａ  陰極部
２４    封止ガラス（封止部材）
２４ｂ  壁部
２５    吸湿剤
２６    壁部
【図１】
2006228532.tif 000003
【図２】
2006228532.tif 000004
【図３】
2006228532.tif 000005
【図４】
2006228532.tif 000006
【図５】
2006228532.tif 000007
【図６】
2006228532.tif 000008
【図７】
2006228532.tif 000009
【図８】
2006228532.tif 000010